(57)【要約】      （修正有）【課題】食べ物の食感を保持可能な出前箱を提供する。【解決手段】熱電対プローブは、保温領域内の温度情報を検出すると、検出された温度情報を温度コントローラにフィードバックする。熱電対プローブにより検出された温度が温度コントローラの内部に設定された最低温度より低い場合、温度コントローラが炭素繊維加熱管を制御して発熱させることにより、保温領域内の食べ物を加熱する。保温領域内の温度が温度コントローラの内部に設定された最高温度に達している場合、温度コントローラが炭素繊維加熱管を制御して加熱を停止させる。出前箱が使用されていない時に、タイマーがＵＶ消毒ランプを制御して定時的に出前箱を消毒する。【選択図】図１
2019166301.tif 000002
【特許請求の範囲】
【請求項１】
箱本体と、箱蓋と、を含み、
前記箱本体は、保温領域と、保冷領域とを含み、
前記箱本体の前記保温領域と前記箱蓋には、互いに連通する導線孔が設けられ、前記保温領域内の４つの隅部に４つの第１の密封溝が設けられ、前記第１の密封溝にシールストリップが嵌設され、前記シールストリップの中心線に複数の円孔が均一に配置され、隣接する２つのシールストリップにおける対応する前記円孔の間に炭素繊維加熱管が設けられ、前記シールストリップの一方の側には前記第１の密封溝に嵌合する封止ブロックが設けられ、前記シールストリップの他方の側には互いに９０°の角度をなす２つの第２の密封溝が設けられ、隣接する２つの前記シールストリップにおける対向する前記第２の密封溝内に孔付き仕切り板が設けられ、前記孔付き仕切り板の中間に第１のリブが配置され、前記第１のリブにより階層孔付き仕切り板が支持され、前記階層孔付き仕切り板には出前ボックスに合う固定凹部が設けられ、前記固定凹部に出前ボックスがセットされ、
前記箱蓋の内部にＵＶ消毒ランプが設けられ、前記箱蓋の外面に電源が内蔵された制御システムが設けられ、前記制御システムは、温度コントローラと、タイマーと、ディスプレイとを含み、前記保温領域内にはさらに熱電対プローブが設けられ、制御システムは、導線孔を貫通する導線によって熱電対プローブと、ＵＶ消毒ランプと、炭素繊維加熱管とに接続される、
ことを特徴とする食べ物の食感を保持可能な出前箱。
【請求項２】
前記保冷領域の内壁に垂直係止溝が配置され、前記垂直係止溝に孔付き仕切り板が嵌設される、
ことを特徴とする請求項１に記載の食べ物の食感を保持可能な出前箱。
【請求項３】
前記箱蓋の内部に第２の仕切り板が設けられ、前記箱蓋の内部において第２の仕切り板の両側にそれぞれＵＶ消毒ランプが配置され、前記ＵＶ消毒ランプの下方の両側に固定止め板が設けられ、前記固定止め板の両端に係止溝が設けられ、前記係止溝内に可動止め板が設けられ、前記可動止め板が移動可能であり、可動止め板を開けるとき、ＵＶ消毒ランプが保温領域及び保冷領域を照射でき、保温領域及び保冷領域を消毒する、
ことを特徴とする請求項１に記載の食べ物の食感を保持可能な出前箱。
【請求項４】
前記保温領域と前記保冷領域の間に第１の仕切り板が設けられ、前記第１の仕切り板に凹部が設けられ、第２の仕切り板が第１の仕切り板に対向し、第２の仕切り板及び第１の仕切り板の材質は断熱材質であり、第２の仕切り板に凸部が設けられ、凸部が凹部に嵌合して密封することにより、保温領域と保冷領域を隔離する、
ことを特徴とする請求項３に記載の食べ物の食感を保持可能な出前箱。
【請求項５】
前記可動止め板には、手で把持して可動止め板を移動させるための第２のリブが配置される、
ことを特徴とする請求項３に記載の食べ物の食感を保持可能な出前箱。
【請求項６】
食べ物からの蒸気を吸収するために、前記出前ボックスの蓋は、水分を吸収可能な材料で製造される、
ことを特徴とする請求項１に記載の食べ物の食感を保持可能な出前箱。
【請求項７】
前記制御システムは、二次電池で給電され、前記箱本体または前記箱蓋の側面に二次電池に電気的に接続される充電インタフェースが設けられ、充電インタフェースが電源コードによって電気自動車の電源に接続されることにより、電気自動車の電源で二次電池を充電、さらに／または直接制御システムに給電する、
ことを特徴とする請求項１に記載の食べ物の食感を保持可能な出前箱。
【請求項８】
電気自動車の電源で二次電池を充電、さらに／または直接制御システムに給電する時に、制御システムがＵＶ消毒ランプをオンにして消毒を行う、
ことを特徴とする請求項７に記載の食べ物の食感を保持可能な出前箱。
【請求項９】
前記箱本体及び前記箱蓋にソーラーパネルが設けられ、ソーラーパネルが制御システムに電気的に接続され、ソーラーパネルで給電可能な時に、制御システムの内部電源の使用を避けるように制御システムの内部電源の給電を停止する、
ことを特徴とする請求項１に記載の食べ物の食感を保持可能な出前箱。
【請求項１０】
前記出前ボックスの表面には、出前ボックスの温度の変化に伴いその色を変えるか、または数値で温度を表示する温度表示記録ラベルが貼着される、
ことを特徴とする請求項１に記載の食べ物の食感を保持可能な出前箱。
【発明の詳細な説明】
【技術分野】
【０００１】
本願発明は、出前箱の技術分野に関し、具体的には、食べ物の食感を保持可能な出前箱に関する。
【背景技術】
【０００２】
社会の継続的な発展に伴い、現代人の生活リズムが速くなり、新たな業種が次々と生み出され、出前サービスはその一種である。電話、携帯電話、インターネットの普及により、出前サービス業界では、目覚ましい発展を遂げており、今やその利便性から多くの人に愛用されるようになっているが、いくつかの欠点も認められている。例えば、従来の食べ物の配送に用いる出前箱は、消毒、保温、及び保冷機能を備えないため、食べ物の食感を保持することが困難である。
【０００３】
関連ニュースでは、飲食業界の多くの店で出前箱が長時間にわたって使用されているが、消毒を行ったことは一度もないというケースがしばしば報道され、出前箱の衛生状態を懸念する声も上がっている。例えば、配送者は、宅配する間に出前箱からスープがこぼれる場合、ティッシュで拭いただけで済ませることが多い。その結果、出前箱に細菌が繁殖しやくなり、配達中の食べ物を汚染してしまい、ひいては利用者の健康に悪影響を及ぼす恐れがある。また、保温と保冷の効果を得るために、衛生面の配慮もせずに出前箱の内部に毛布をかけるなどのやり方もあるが、その効果は評価できないばかりか、衛生的な問題を引き起こし、顧客に届いた時に、料理が冷めてしまい、飲み物も冷やされた状態ではないことが多い。
【０００４】
また、従来の配達用弁当箱は、水蒸気を吸収する機能を備えないため、食べ物から蒸発した水蒸気が凝結してその中にとどまり、食べ物に入ってその食感を悪くするという問題点があった。これらの問題は、いずれも食べ物の食感に影響を与え、ひいては利用者が配達サービスの評価を下げ、店舗の評判に影響を与える恐れがある。
【発明の概要】
【発明が解決しようとする課題】
【０００５】
本願発明は、出前箱をめぐる上記の問題点を解消するために、新型の出前箱を提供することを目的とする。
【課題を解決するための手段】
【０００６】
本願発明による食べ物の食感を保持可能な出前箱は、箱本体と、箱蓋と、を含む。前記箱本体は、保温領域と、保冷領域とを含み、前記箱本体の前記保温領域と前記箱蓋には、互いに連通する導線孔が設けられ、前記保温領域内の４つの隅部に４つの第１の密封溝が設けられ、前記第１の密封溝にシールストリップが嵌設され、前記シールストリップの中心線に複数の円孔が均一に配置され、隣接する２つのシールストリップにおける対応する前記円孔の間に炭素繊維加熱管が設けられ、前記シールストリップの一方の側には前記第１の密封溝に嵌合する封止ブロックが設けられ、前記シールストリップの他方の側には互いに９０°の角度をなす２つの第２の密封溝が設けられ、隣接する２つの前記シールストリップにおける対向する前記第２の密封溝内に孔付き仕切り板が設けられ、前記孔付き仕切り板の中間に第１のリブが配置され、前記第１のリブにより階層孔付き仕切り板が支持され、前記階層孔付き仕切り板には出前ボックスに合う固定凹部が設けられ、前記固定凹部に出前ボックスがセットされる。前記箱蓋の内部にＵＶ消毒ランプが設けられ、前記箱蓋の外面に電源が内蔵された制御システムが設けられ、前記制御システムは、温度コントローラと、タイマーと、ディスプレイとを含み、前記保温領域内にはさらに熱電対プローブが設けられ、制御システムは、導線孔を貫通する導線によって熱電対プローブと、ＵＶ消毒ランプと、炭素繊維加熱管とに接続される。
【０００７】
好ましくは、前記保冷領域の内壁に垂直係止溝が配置され、前記垂直係止溝に孔付き仕切り板が嵌設される。
【０００８】
好ましくは、前記箱蓋の内部に第２の仕切り板が設けられ、前記箱蓋の内部において第２の仕切り板の両側にそれぞれＵＶ消毒ランプが配置され、前記ＵＶ消毒ランプの下方の両側に固定止め板が設けられ、前記固定止め板の両端に係止溝が設けられ、前記係止溝内に可動止め板が設けられ、前記可動止め板が移動可能であり、可動止め板を開けるとき、ＵＶ消毒ランプが保温領域及び保冷領域を照射でき、保温領域及び保冷領域を消毒する。
【０００９】
好ましくは、前記保温領域と前記保冷領域の間に第１の仕切り板が設けられ、前記第１の仕切り板に凹部が設けられ、第２の仕切り板が第１の仕切り板に対向し、第２の仕切り板及び第１の仕切り板の材質は断熱材質であり、第２の仕切り板に凸部が設けられ、凸部が凹部に嵌合して密封することにより、保温領域と保冷領域を隔離する。
【００１０】
好ましくは、前記可動止め板には、手で把持して可動止め板を移動させるための第２のリブが配置される。
【００１１】
好ましくは、食べ物からの蒸気を吸収するために、前記出前ボックスの蓋は、水分を吸収可能な材料で製造される。
【００１２】
好ましくは、前記制御システムが二次電池で給電され、前記箱本体または前記箱蓋の側面に二次電池に電気的に接続される充電インタフェースが設けられ、充電インタフェースが電源コードによって電気自動車の電源に接続されることにより、電気自動車の電源で二次電池を充電、さらに／または直接制御システムに給電できる。
【００１３】
好ましくは、電気自動車の電源で二次電池を充電、さらに／または直接制御システムに給電する時に、制御システムがＵＶ消毒ランプをオンにして消毒を行う。
【００１４】
好ましくは、前記箱本体及び前記箱蓋にソーラーパネルが設けられ、ソーラーパネルが制御システムに電気的に接続され、ソーラーパネルで給電可能な時に、制御システムの内部電源の使用を避けるように制御システムの内部電源の給電を停止する。
【００１５】
好ましくは、前記出前ボックスの外面に温度表示記録ラベルが貼着され、温度表示記録ラベルは、出前箱の温度の変化に伴いその色を変えるか、または数値で温度を表示することができる。
【００１６】
好ましくは、前記階層孔付き仕切り板にファンが設けられ、ファンは、制御システムに電気的に接続され、出前箱の内部の空気循環を保持するために用いられる。
【発明の効果】
【００１７】
本願発明は以下の有益な効果を有する。
保温領域に熱電対プローブを設けることにより、熱電対プローブによって検出した保温領域内の温度が所定値より低い時、温度コントローラが炭素繊維加熱管を制御して発熱させ、保温領域内の食べ物を加熱する。また、出前箱の内部にＵＶ消毒ランプが設けられ、出前箱を消毒できる。
【図面の簡単な説明】
【００１８】
本願発明の実施例または従来技術による技術案をより明瞭に説明するために、以下、実施例または従来技術の説明に必要な図面について簡単に説明する。当然のことながら、以下記載される図面は本願発明の一部の実施例に過ぎず、当業者にとって、創造的な労働を必要とせず、これらの図面に基づいて他の図面を得ることもできる。
【図１】本願発明の実施例に係る出前箱の全体構造を示す概略図。
【図２】本願発明の実施例に係る箱本体の断面図。
【図３】本願発明の実施例に係る箱蓋の内部を示す図。
【図４】本願発明の実施例に係るシールストリップの全体を示す図。
【図５】本願発明の実施例に係るシールストリップの部分を示す図。
【図６】本願発明の実施例に係る孔付き仕切り板を示す図。
【図７】本願発明の実施例に係る箱蓋の外面を示す図。
【図８】本願発明の実施例に係る階層孔付き仕切り板を示す図。
【発明を実施するための形態】
【００１９】
本願発明の目的、特徴、利点をより明瞭、かつ分かりやすくするために、以下、本願発明の実施例に係る図面を参照しながら、その技術的解決手段について明瞭、かつ完全に説明する。当然のことながら、以下記載される実施例は本願発明の実施例の一部に過ぎず、そのすべてではない。当業者は、本願発明の実施例に基づいて創造的な労働をすることなく、想到するその他の実施例は、いずれも本願発明の保護範囲にある。
【００２０】
以下、図面を参照しながら、具体的な実施形態を用いて本願発明の技術的解決手段について詳しく説明する。
【００２１】
図１〜図８に示すように、本願発明に係る食べ物の食感を保持可能な出前箱は、箱本体１００と、箱蓋２００とを含む。前記箱本体は、保温領域と、保冷領域とを含み、前記箱本体の保温領域と前記箱蓋には、互いに連通する導線孔１０５と、導線孔３０２とが設けられ、前記保温領域内の４つの隅部に４つの第１の密封溝１０２が設けられ、前記第１の密封溝にいずれもシールストリップ１０３が嵌設され、前記シールストリップの中心線に複数の円孔２０２が配置され、隣接する２つのシールストリップにおける対応する前記円孔の間に炭素繊維加熱管１０４が設けられ、前記シールストリップの一方の側には前記第１の密封溝に嵌合する封止ブロック２０３が設けられ、前記シールストリップの他方の側には互いに９０°の角度をなす２つの第２の密封溝２０１が設けられ、隣接する２つの前記シールストリップにおける対向する前記第２の密封溝内に孔付き仕切り板１０６が設けられ、前記孔付き仕切り板の中間に第１のリブ１０７が配置され、前記第１のリブにより階層孔付き仕切り板８０１が支持され、前記階層孔付き仕切り板には出前ボックスに合う固定凹部８０２が設けられ、前記固定凹部に出前ボックスがセットされ、前記箱蓋２００の内部にＵＶ消毒ランプ３０３が設けられ、前記箱蓋２００の外面に電源が内蔵された制御システム３０８が設けられ、前記制御システム３０８は、温度コントローラと、タイマーと、ディスプレイとを含み、前記保温領域内にはさらに熱電対プローブ１１０も設けられ、制御システム３０８は、導線孔を貫通する導線によって熱電対プローブ１１０と、ＵＶ消毒ランプ３０３と、炭素繊維加熱管１０４とに接続される。前記内蔵された電源は、熱電対プローブ１１０と、ＵＶ消毒ランプ３０３と、炭素繊維加熱管１０４に給電するためのものである。
【００２２】
本発明において、前記保冷領域の内壁に垂直係止溝１０８が配置され、前記垂直係止溝に孔付き仕切り板１０６が嵌設される。
【００２３】
本発明において、前記箱蓋の内部に第２の仕切り板が設けられ、前記箱蓋の内部において第２の仕切り板の両側にそれぞれＵＶ消毒ランプ３０３が配置され、前記ＵＶ消毒ランプ３０３の下方の両側に固定止め板３０４が設けられ、前記固定止め板３０４の両端に係止溝３０５が設けられ、前記係止溝３０５内に可動止め板３０６が設けられ、前記可動止め板３０６が移動可能であり、可動止め板３０６を開けるとき、ＵＶ消毒ランプ３０３が保温領域及び保冷領域を照射でき、保温領域及び保冷領域を消毒する。
【００２４】
本発明において、前記保温領域と前記保冷領域の間に第１の仕切り板が設けられ、前記第１の仕切り板に凹部１０１が設けられ、第２の仕切り板が第１の仕切り板に対向し、第２の仕切り板及び第１の仕切り板の材質は断熱材質であり、第２の仕切り板に凸部３０１が設けられ、凸部が凹部に嵌合して密封することにより、保温領域と保冷領域を隔離する。
【００２５】
本発明において、前記可動止め板には、手で把持して可動止め板３０６を移動させるための第２のリブ３０７が配置される。
【００２６】
本発明において、食べ物からの蒸気を吸収するために、前記出前ボックスの蓋は、水分を吸収可能な材料で製造される。
【００２７】
本発明において、前記制御システムが二次電池で給電され（即ち、前記内蔵された電源が二次電池である）、前記箱本体または前記箱蓋の側面に二次電池に電気的に接続される充電インタフェースが設けられ、充電インタフェースが電源コードによって電気自動車の電源に接続されることにより、電気自動車の電源で二次電池を充電、さらに／または直接制御システムに給電することができる。
【００２８】
本発明において、電気自動車の電源で二次電池を充電、さらに／または直接制御システムに給電する時に、制御システムがＵＶ消毒ランプをオンにして消毒を行う。
【００２９】
本発明において、前記箱本体及び前記箱蓋にソーラーパネルが設けられ、ソーラーパネルが制御システムに電気的に接続され、ソーラーパネルで給電可能な時に、制御システムの内部電源の使用を避けるように制御システムの内部電源の給電を停止する。
【００３０】
本発明において、前記出前ボックスの表面に温度表示記録ラベルが貼着され、温度表示記録ラベルは、出前ボックスの温度の変化に伴いその色を変えるか、または数値で温度を表示できる。
【００３１】
本発明において、前記階層孔付き仕切り板にファンが設けられ、ファンは、制御システムに電気的に接続され、出前箱の内部の空気循環を保持するために用いる。
【００３２】
本願発明の動作原理は以下のとおりである。
前記熱電対プローブが保温領域内の温度情報を検出すると、前記熱電対プローブが検出された温度情報を温度コントローラにフィードバックする。熱電対プローブにより検出された温度が温度コントローラの内部に設定された最低温度より低い場合、前記温度コントローラは、炭素繊維加熱管を制御して発熱させ、保温領域内の食べ物を加熱する。保温領域内の温度が温度コントローラの内部に設定された最高温度に達している場合、前記温度コントローラは、炭素繊維加熱管を制御して加熱を停止する。当該食べ物の食感を保持可能な出前箱が使用されていない時に、前記タイマーがＵＶ消毒ランプを制御して定時的に出前箱を消毒する。
【００３３】
以上に記載された内容は、本願発明の好ましい実施例だけに過ぎず、本願発明を限定するものではない。本願発明の構想及び趣旨において行われる変更、均等な差し替えまたは改良などであれば、いずれも本願発明の保護範囲に含まれるものとする。
【図１】
2019166301.tif 000003
【図２】
2019166301.tif 000004
【図３】
2019166301.tif 000005
【図４】
2019166301.tif 000006
【図５】
2019166301.tif 000007
【図６】
2019166301.tif 000008
【図７】
2019166301.tif 000009
【図８】
2019166301.tif 000010